(57)【要約】【課題】ＬＥＤ照明器具にも適用することができるコード長さ調整機構及び照明器具を提供する。【解決手段】天井面Ｃから吊り下げて設置する照明器具１００のコード６０の長さを調整し、ダクトレール７０に取り付けるプラグ２０を備えるコード長さ調整機構１０であって、プラグ２０の下方に設けられ、電源装置６５が収納される収納部３０と、収納部３０の下方に設けられ、コード６０が捲回されるコード長さ調整部４０と、プラグ２０、収納部３０及びコード長さ調整部４０を被装するケース１２と、を備える。【選択図】図３
2014220178.tif 000002
【特許請求の範囲】
【請求項１】
吊り下げて設置する照明器具のコードの長さを調整し、被設置部に備わる接続端子に接続可能なプラグを備えるコード長さ調整機構であって、
電源装置が収納される収納部と、
前記コードが捲回される捲回部と、
を備え、
前記プラグと前記収納部とが隣接し、前記収納部と前記捲回部とが隣接して配置される、
コード長さ調整機構。
【請求項２】
請求項１記載のコード長さ調整機構であって、
前記プラグ、前記収納部及び前記捲回部を被装するケースを備える、
コード長さ調整機構。
【請求項３】
請求項１又は２に記載のコード長さ調整機構であって、
前記収納部には、平面部が形成され、
前記平面部には、前記電源装置が対向して配置される、
コード長さ調整機構。
【請求項４】
請求項１乃至３記載のコード長さ調整機構であって、
前記コードの前記収納部と前記捲回部との間には、張力止め機構が設けられる、
コード長さ調整機構。
【請求項５】
光源を備える照明器具本体と、
前記照明器具本体に一端が接続されるコードと、
前記コードの他端が接続されるコード長さ調整機構と、
を備えた照明器具であって、
前記コード長さ調整機構は、請求項１乃至４に記載された構成を有する、
照明器具。
【発明の詳細な説明】
【技術分野】
【０００１】
本発明は、コード長さ調整機構及びそれを備える照明器具に関する。より詳細には、吊り下げて設置する照明器具のコードの長さを調整する機構に関する。
【背景技術】
【０００２】
従来、ダクトレールや引掛けシーリング等の照明器具用の被設置部からコードを介して照明器具本体を吊下げて設置するペンダント型の照明器具が知られている。ペンダント型の照明器具では、被設置部の高さと照明器具本体の高さとの関係を調節したり、配光を調節するためにコードの長さを調節する必要がある。
【０００３】
そのため、ペンダント型の照明器具のコードの長さを調整するコード長さ調整機構等が知られている。例えば、特許文献１には、天井等に設けたダクトレールや引掛けシーリングに、コード先端に取り付けたプラグ部を係合して吊持させるコード長さ調整機構が開示されている。
【０００４】
一方、近年、光源として半導体発光素子を用いた照明器具が開発されている。半導体発光素子として、例えばＬＥＤ（Ｌｉｇｈｔ  Ｅｍｉｔｔｉｎｇ  Ｄｉｏｄｅ）がある。ＬＥＤを用いた照明器具では、ＬＥＤを直流電圧の電源によって発光させる。このため、１００Ｖ交流の商用電源から直流電圧の電力を得るための電源装置が必要である。
【０００５】
ところで、ＬＥＤは点灯時に熱を発生するため、ＬＥＤを効率良く放熱させる必要がある。一方、電源装置も点灯時に熱を発生するため、ＬＥＤと電源装置をできるだけ離して設置することが好ましい。
【先行技術文献】
【特許文献】
【０００６】
【特許文献１】特開２００６−２９４３４５号公報
【発明の概要】
【発明が解決しようとする課題】
【０００７】
しかしながら、照明器具本体内にＬＥＤと電源装置を離して設置するためには、照明器具本体が大型化してしまい、照明器具本体のデザインの自由度が制限される。このため、電源装置を照明器具本体側ではなく、ダクトレール等の被設置部に取り付けるためのプラグ側に設置することが考えられる。
【０００８】
そこで、ダクトレール等の被設置部に取り付けるためのプラグを備えるコード長さ調整機構では、ＬＥＤ照明の電源装置を収納できるタイプのものが求められている。
【０００９】
本発明は、ＬＥＤ照明の電源装置を収納したコード長さ調整機構及び照明器具を提供することを目的とする。
【課題を解決するための手段】
【００１０】
本願に開示するコード長さ調整機構は、吊り下げて設置する照明器具のコードの長さを調整し、被設置部に備わる接続端子に接続可能なプラグを備えるコード長さ調整機構であって、電源装置が収納される収納部と、コードが捲回される捲回部と、を備え、プラグと収納部とが隣接し、収納部と捲回部とが隣接して配置される。
【００１１】
コード長さ調整機構は、プラグ、収納部及び捲回部を被装するケースを備えることが好ましい。
【００１２】
収納部には、平面部が形成され、平面部には、電源装置が対向して配置されることが好ましい。
【００１３】
コードの収納部と捲回部との間には、張力止め機構が設けられることが好ましい。
【００１４】
本願に開示する照明器具は、光源を備える照明器具本体と、照明器具本体に一端が接続されるコードと、コードの他端が接続されるコード長さ調整機構とを備えた照明器具であって、コード長さ調整機構は上記構成を有する。
【発明の効果】
【００１５】
本願に開示するコード長さ調整機構及び照明器具によれば、照明器具本体を小型化することができる。
【図面の簡単な説明】
【００１６】
【図１】照明器具の構成を示す正面図。
【図２】コード長さ調整機構を示す正面図。
【図３】コード長さ調整機構を示す斜視図。
【図４】ケースを示す断面図。
【図５】本体を示す正面図、側面図及び背面図。
【図６】収納部の内部を示す一部断面正面図。
【図７】収納部の構成を示す斜視図。
【発明を実施するための形態】
【００１７】
図１を用いて、照明器具１００の構成について説明する。
図１では、照明器具１００を正面視にて模式的に表している。また、本実施形態に係る照明器具１００は、光源５２としてＬＥＤが用いられている。
【００１８】
照明器具１００は、本発明に係る実施形態の一例である。照明器具１００は、ダクトレールや引掛けシーリング等の照明器具用の被設置部からコード６０を介して照明器具本体５０を吊下げて設置するペンダント型の照明器具である。本実施形態では、照明器具１００は、被設置部としてのダクトレール７０に取り付けられる。
【００１９】
なお、本実施形態では、天井から吊下げた状態の照明器具１００において、コード６０の長手方向における天井面側を「上側」と定義し、天井面側に対して反対側（例えば鉛直下向き）を「下側」と定義する。
【００２０】
ダクトレール７０は、例えば天井面Ｃに対して連結部材７１によって吊り下げられている。照明器具１００は、ダクトレール７０に対して機械的及び電気的に接続されている。照明器具１００は、ダクトレール７０上に沿って移動可能に構成されている。ダクトレール７０には、例えば複数の照明器具１００が吊り下げられる。
【００２１】
なお、照明器具１００は、ダクトレールに接続する形式に限定されない。例えば、引掛けシーリングに接続する形式の照明器具であってもよい。光源はＬＥＤに限られず、他の半導体発光素子、例えばＥＬ（Ｅｌｅｃｔｒｏｌｕｍｉｎｅｓｃｅｎｃｅ）を用いてもよい。
【００２２】
照明器具１００は、コード長さ調整機構１０と、照明器具本体５０と、コード６０と、を具備している。
【００２３】
コード長さ調整機構１０は、ダクトレール７０に照明器具１００を取り付けるとともに、照明器具１００をダクトレール７０に電気的に接続する部分である。また、コード長さ調整機構１０は、コード６０の長さを調整し、照明器具本体５０のダクトレール７０からの距離（照明器具本体５０のダクトレール７０からの吊り下げ高さ）を調整可能なものである。コード長さ調整機構１０について、詳しくは後述する。
【００２４】
コード６０は、コード長さ調整機構１０と照明器具本体５０を電気的及び機械的に接続するものである。コード６０は、ダクトレール７０に取り付けられたコード長さ調整機構１０から照明器具本体５０を吊り下げている。本実施形態のコード６０は、可撓性を有するものとされている。
【００２５】
照明器具本体５０は、筐体５１、光源５２、及びセード５３を備えている。筐体５１は、照明器具本体５０の基体となる部材である。筐体５１は、細長い有底の円筒状である。図１における上面側には天面が形成されており、下面側には、光を照射するための照射口５５が形成されている。
【００２６】
筐体５１は、光源５２から発する熱を放熱させるために、熱伝導性が高い素材、例えばアルミニウム等の金属素材を用いて形成されている。筐体５１の内側には、筐体５１の内壁に沿って、光源５２を取り付ける光源取付部５６が形成されている。
【００２７】
筐体５１の下面側には、セード５３を保持する保持部５７が設けられている。筐体５１の上面側には、コード６０を固定し照明器具本体５０を吊り下げるための係止部５８が設けられている。なお、照明器具本体５０の形状は限定されず、円筒状の他に、例えば角筒状や円錐状等であってもよい。
【００２８】
セード５３は、筐体５１の下面側を覆うように取り付けられる部材である。セード５３は、光源５２からの光を反射及び拡散させつつ、外部へ配光する。セード５３は、透光性を有する樹脂素材、ガラス素材、または陶磁器等で形成されている。セード５３は、筐体５１に対して着脱できる構造となっている。
【００２９】
光源５２は、光源基板としてのＬＥＤモジュール基板を有している。ＬＥＤモジュール基板は、基板上に半導体発光素子としてのＬＥＤが複数実装されている。光源５２には、コード６０が電気的に接続されている。
【００３０】
図２乃至図４を用いて、コード長さ調整機構１０の構成について説明する。
なお、図４は、ケース１２の図２におけるＡＡ断面図を表している。
【００３１】
コード長さ調整機構１０は、照明器具１００のコード６０の長さを調整するものである。本実施形態のコード長さ調整機構１０は、被設置部としてのダクトレール７０に取り付けられるものである。コード長さ調整機構１０は、本体１１と、ケース１２と、を具備している。
【００３２】
本体１１は、コード６０の長さを調整し、電源装置６５を収納するものである。本実施形態の本体１１は、略円筒形状であり、断面が略円形状に構成されている。なお、本体１１の形状は、略円筒形状に限定されない。例えば、略角筒状等であってもよい。本体１１の下端からは、コード６０が引き出されている。本体１１について、詳細な説明は後述する。
【００３３】
ケース１２は、本体１１を被装するものである。ケース１２は、本体１１の形状に対応して略円筒形状に構成されている。ケース１２では、上面が全面開口され、上面側から本体１１を差し込む構成とされている。ケース１２では、底面に開口部１２Ａが形成され、コード６０を貫通する構成とされている。図２では、コード長さ調整機構１０について、本体１１及びケース１２を分離し、ケース１２にコード６０を通した状態を示している。
【００３４】
図５を用いて、本体１１の構成について説明する。
図５（Ａ）は、本体１１を正面視にて模式的に表し、図５（Ｂ）は、本体１１を側面視にて模式的に表し、図５（Ｃ）は、本体１１を背面視にて模式的に表している。
本体１１は、プラグ２０と、収納部３０と、捲回部としてのコード長さ調整部４０と、を具備している。
【００３５】
プラグ２０は、被設置部としてのダクトレール７０に取り付けられるものである。プラグ２０は、略円筒形状に構成されている。プラグ２０の上端部には、接続金具２１・２１が左右両側（本体１１の長手方向に対して直交する方向）に突出して向けられている。
【００３６】
接続金具２１・２１は、ダクトレール７０の溝部（図示略）に機械的及び電気的に接続されるものである。ダクトレール７０の溝部の内面には導電部が備わり、接続金具２１・２１を溝部に嵌めることにより、接続金具２１・２１と導電部とが電気的に接続される。
【００３７】
プラグ２０は、略半円筒状のプラグ主体２０Ｂと、同じく略半円筒状のカバー２０Ａで構成されている。カバー２０Ａは、プラグ主体２０Ｂにネジで固定されている。プラグ主体２０Ｂとカバー２０Ａは脱着可能である。
【００３８】
収納部３０は、電源装置６５を収納するものである。収納部３０は、略円筒形状に構成されている。収納部３０の第１端部３０Ｃには、プラグ２０が接続される。収納部３０の第２端部３０Ｄには、捲回部としてのコード長さ調整部４０が一体的に備わる。なお、収納部３０とコード長さ調整部４０とは、別部材であっても良い。
【００３９】
収納部３０は、略半円筒状の収納部主体３０Ｂと、同じく略半円筒状のカバー３０Ａで構成されている。収納部主体３０Ｂとカバー３０Ａとは、略円筒形状を呈する状態で、ネジで固定されている。収納部主体３０Ｂとカバー３０Ａとは脱着可能である。収納部３０の内部構成について、詳しくは後述する。
【００４０】
収納部３０の外径は、ケース１２に本体１１を収納したときに、ケース１２と収納部３０とがたつきがない程度に、ケース１２の内径と略同一とされている。
【００４１】
電源装置６５は、照明器具本体５０に設けられる光源５２を点灯させるための装置である。電源装置６５は、１００Ｖ交流の商用電源から直流電圧の電力を得るための電気回路であり、基板上に複数の電気部品が実装された構成である。電源装置６５は、プラグ２０及びコード６０に電気的に接続されている。
【００４２】
捲回部としてのコード長さ調整部４０は、コード６０の長さを調整するものである。コード長さ調整部４０は、略円筒形状に構成されている。コード長さ調整部４０の周面には、第一開口部４１と、第二開口部４２と、が形成されている。
【００４３】
第一開口部４１は、コード長さ調整部４０の収納部３０側の端部付近に形成されている。第二開口部４２は、Ｕ字型の切り欠きであり、コード長さ調整部４０の自由端側に開口するように形成されている。
【００４４】
コード長さ調整部４０の自由端には、コード固定具１３が取り付けられている。コード固定具１３は、コード長さ調整部４０に対してコード６０の位置を固定するものである。コード固定具１３は、蓋４３、コード引き出し口４４、締め付け具４５（図２参照）を備えている。
【００４５】
コード長さ調整部４０の外径は、ケース１２に本体１１を収納したときに、ケース１２とコード６０が一重に捲回されたコード長さ調整部４０がケース１２内部でずれないように決定されている。
【００４６】
蓋４３は、コード長さ調整部４０の自由端に螺合して着脱可能に取り付けられる。蓋４３の底面には、コード引き出し口４４が蓋４３に対して延出するように形成されている。
【００４７】
コード引き出し口４４は、コード６０を挿通させるとともに、コード６０を自由に進退させることのできる内径の貫通孔を有している。コード引き出し口４４の自由端には、複数の可動片が形成されている。コード引き出し口４４の周面には、締め付け具４５が螺合するための雄螺子が形成されている。
【００４８】
締め付け具４５は、コード引き出し口４４の自由端に螺合させることで、コード引き出し口４４に挿通されるコード６０の位置を固定するものである。締め付け具４５は、コード引き出し口４４の周面に形成される雄螺子に螺合させて締め付けていくことにより、コード６０の周囲に可動片を押し付け、コード６０の位置を固定するものである。
【００４９】
図６を用いて、収納部３０の内部構成について説明する。
図６では、本体１１を一部切断した断面を側面視にて模式的に表している。
【００５０】
収納部３０の内部には、電源装置６５が収納されている。電源装置６５は、支持台８０に載置されている。支持台８０は、電源装置６５を載置する平板８１と、平板８１を支持する脚８２と、を具備している。
【００５１】
支持台８０の平板８１は、正面視にて電源装置６５と略同一の矩形となるように構成されている。収納部３０の外周面には、平板８１が配置される位置に対応して平面部３１が形成されている。なお、平面部３１は、収納部３０の外側及び内側に形成されている。
【００５２】
支持台８０の正面側、即ち支持台８０と電源装置６５との間には、熱伝導性シート８５が設けられている。熱伝導性シート８５は、正面視にて支持台８０と略同一の大きさとなる矩形にて構成されている。熱伝導性シート８５について、本実施形態では詳細な説明を省略する。なお、熱伝導性シート８５は、光源の異常な温度上昇が見受けられなければ省略することができる。
【００５３】
なお、本実施形態では、電源装置６５を支持台８０に載置する構成としたが、これに限定されない。例えば、電源装置６５を直接平面部３１に載置する構成としても良い。このようにして、部品点数を削減することもできる。
【００５４】
収納部３０の底部には、張力止め機構９０が設けられている。張力止め機構９０は、収納部３０の底部に形成される底収納部３２と、張力止め６６で構成されている。底収納部３２には、張力止め６６が収納されている。張力止め６６は、コード６０に介して固設されている。張力止め６６は、コード６０の軸方向の動きを制限し、コード６０に作用する張力を遮断する。
【００５５】
図５及び図６を用いて、コード長さ調整機構１０におけるコード６０の配置について説明する。
【００５６】
コード６０は、プラグ２０の内部にて、プラグ２０の接続金具２１・２１から延設され、収納部３０の内部の電源装置６５に接続されている。一方、電源装置６５から延設されたコード６０は、底収納部３２に配置された張力止め６６を介して、コード長さ調整部４０の内部に延設される。
【００５７】
コード長さ調整部４０の内部に延設されたコード６０は、第一開口部４１を貫通し、コード長さ調整部４０に捲回され、第二開口部４２を貫通し、再度コード長さ調整部４０の内部に延設される。再度コード長さ調整部４０の内部に延設されたコード６０は、コード引き出し口４４を貫通して外部に延設される。
【００５８】
なお、コード長さ調整部４０に捲回されるコード６０は、コード６０の全長から照明器具本体５０の吊り下げ高さを差し引いた余剰分である。照明器具１００では、コード長さ調整部４０に捲回するコード６０の長さを調整することによって、照明器具本体５０のダクトレール７０からの吊り下げ高さを調整している。
【００５９】
図７を用いて、収納部３０の構成について説明する。
図７では、収納部３０を斜視にて模式的に表している。
【００６０】
底収納部３２は、収納部主体３０Ｂと、カバー３０Ａとを組み合わせることで、形成される。収納部主体３０Ｂには、第３隔壁９３、第４隔壁９４が形成されている。カバー３０Ａには、第１隔壁９１、第２隔壁９２が形成されている。第１隔壁９１、第２隔壁９２、第３隔壁９３、第４隔壁９４には、それぞれ半円形の切り欠きが形成されている。
【００６１】
収納部主体３０Ｂと、カバー３０Ａを組み合わせることで、第１隔壁９１と第３隔壁９３、並びに、第２隔壁９２と第４隔壁９４がそれぞれ組み合されて底収納部３２が形成される。図７では、収納部３０は、収納部主体３０Ｂと、カバー３０Ａを分離した状態を示している。
【００６２】
収納部３０の上面には、フランジ３５が形成されている。フランジ３５は、収納部主体と、カバー３０Ａを組み合わせることで、形成される。プラグ２０の底部には、係止部２５が形成されている。係止部２５は、プラグ主体２０Ｂとカバー２０Ａを組み合わせることで、形成される。プラグ２０の係止部２５には、収納部３０のフランジ３５が嵌合される。
【００６３】
収納部３０のフランジ３５をプラグ２０の係止部２５に嵌合するには、収納部主体とカバー３０Ａを組み合わせてフランジ３５を形成し、形成されたフランジ３５に係止部２５を嵌合させつつ、プラグ主体２０Ｂとカバー２０Ａを組み合わせる。
【００６４】
なお、プラグ２０と収納室３０とは、分離可能とする形式に限定されない。例えば、プラグ２０と収納室３０とを一体成型とする形式であっても良い。
【００６５】
コード長さ調整機構１０の効果について説明する。
コード長さ調整機構１０によれば、ＬＥＤ照明器具にも適用することができる。
【００６６】
すなわち、コード長さ調整部４０の上方に収納部３０を設け、収納部３０に電源装置６５を収納することによって、光源５２のＬＥＤ発光素子を直流電圧の電源によって発光させるため、１００Ｖ交流の商用電源と照明器具本体５０との間に電源装置６５を介する必要のあるＬＥＤ照明器具にも適用することができる。
【００６７】
また、本実施形態のコード長さ調整機構１０によれば、照明器具本体５０内に電源装置６５を備えないため、照明器具本体５０を小型化することができる。
【００６８】
さらに、本実施形態のコード長さ調整機構１０によれば、コード長さ調整機構１０内に電源装置６５を備えたことにより、光源５２と電源装置６５とを離間させることができるので、光源５２が発する熱を電源装置６５に伝えにくくすることができる。また、電源装置６５が発する熱を光源５２に伝えにくくすることができる。
【００６９】
したがって、温度上昇による光源５２及び電源装置６５の性能低下を抑制することができる。特に、ＬＥＤは、蛍光灯などに比べて発熱量が多いため、本実施形態に示す構成を採用することにより電源装置６５への熱的影響が少なくでき、好ましい。
【００７０】
また、収納部３０に底収納部３２を設け、底収納部３２に張力止め６６を収納することによって、張力止め機構９０を構成できる。
【００７１】
さらに、収納部３０に平面部３１を設け、電源装置６５を冷却する熱伝導性シート８５と外部（平面部３１の外側）との間の隙間（熱伝達率の低い空気層）を極力小さくすることによって、熱伝導性シート８５による電源装置６５の冷却効果を向上できる。
【符号の説明】
【００７２】
１０      コード長さ調整機構
１１      本体
１２      ケース
１３      固定具
２０      プラグ
３０      収納部
３２      底収納部
４０      コード長さ調整部（捲回部）
５０      照明器具本体
６０      コード
１００    照明器具
【図１】
2014220178.tif 000003
【図２】
2014220178.tif 000004
【図３】
2014220178.tif 000005
【図４】
2014220178.tif 000006
【図５】
2014220178.tif 000007
【図６】
2014220178.tif 000008
【図７】
2014220178.tif 000009